(57)【特許請求の範囲】
【請求項１】
キャップ周壁を有するキャップ本体と、
このキャップ本体の上面に嵌合され、この嵌合部及び蓋体の各後部を水平ヒンジ及び薄肉板状ヒンジで連結するとともに、当該嵌合部の後部に有する弾性押圧板を前方へ押し込むことで上記水平ヒンジ及び薄肉ヒンジを中心に蓋体が回動して開蓋することが可能に設けたワンタッチキャップにおいて、
上記キャップ周壁(12)の後部に切欠き(17）を形成するとともに、
上記弾性押圧板(38a）を、蓋体の後部から水平ヒンジ(39）を介して垂下させて、上記切欠き(17)内に嵌合させ、
上記弾性押圧板(38a)下方のキャップ周壁部分から弾性板(18)を弾性押圧板(38a)の後方を通って起立させ、
該弾性板上端に付設した押釦(19)上部前面に横設した突条(20)前面を弾性押圧板(38a)の上端部後面へ当接させ、その押釦(19)の突条だけを介して弾性押圧板(38a)の前方押込みが可能に形成した
ことを特徴とするワンタッチキャップ。
【発明の詳細な説明】
【技術分野】
【０００１】
本発明はワンタッチキャップ、やや詳しくは弾性押圧板押込みにより容器本体上面を閉塞する蓋体を容易に開蓋可能としたものである。
【背景技術】
【０００２】
キャップ本体の周壁後部への切込み線穿設により上縁自由端の弾性押圧板を形成しておき、該押圧板の前方押込みによって水平ヒンジと台形薄肉板状ヒンジとでキャップ本体に連結されて、キャップ本体上面を閉塞する蓋体が、上記両ヒンジを中心とする回動で開蓋可能としたワンタッチキャップが特許出願されている（特許文献１）。
【特許文献１】特願２００４−２３６９０号
【発明の開示】
【発明が解決しようとする課題】
【０００３】
本発明は上記特許文献発明を改良するもので、弾性押圧板の前方押込みを効率的に行うことで、その前方押込みによる開蓋が容易としたものである。
【課題を解決するための手段】
【０００４】
第１の手段として、
キャップ周壁を有するキャップ本体と、
このキャップ本体の上面に嵌合され、この嵌合部及び蓋体の各後部を水平ヒンジ及び薄肉板状ヒンジで連結するとともに、当該嵌合部の後部に有する弾性押圧板を前方へ押し込むことで上記水平ヒンジ及び薄肉ヒンジを中心に蓋体が回動して開蓋することが可能に設けたワンタッチキャップにおいて、
上記キャップ周壁12の後部に切欠き17を形成するとともに、
上記弾性押圧板38aを、蓋体の後部から水平ヒンジ39を介して垂下させて、上記切欠き17内に嵌合させ、
上記弾性押圧板38a下方のキャップ周壁部分から弾性板18を弾性押圧板38aの後方を通って起立させ、
該弾性板上端に付設した押釦19上部前面に横設した突条20前面を弾性押圧板38aの上端部後面へ当接させ、その押釦19の突条だけを介して弾性押圧板38aの前方押込みが可能に形成した。
【発明の効果】
【０００５】
請求項１のようにすることで、押釦19は常時キャップ後面よりも後方へ突出することとなり、よってキャップ後面に触れることなくその押釦だけを前方押込みすることが出来、その押釦を介して行う弾性押圧板38ａの前方押込みは、その押釦19上部前面に横設した突条20を線接触させて行うこととなり、よって弾性押圧板へ指先を面接触させて押圧する場合に比べてその押圧を効率的に行うことが出来、容易に開蓋することが出来る。
【発明を実施するための最良の形態】
【０００６】
以下図面について説明すると、１は口頸部２を起立する容器体である。
【０００７】
11は上記容器体口頸部外面へ円筒状のキャップ周壁12下半を嵌合させたキャップ本体で、該キャップ本体は、キャップ周壁12の上下方向中間部内面に前部（図１左方）を振出し筒13として、キャップ周壁上部よりも高く隆起させた仕切壁14を設けている。振出し筒の天板には複数の振出し孔15を穿設しており、又キャップ周壁後部は左右方向巾広の垂直壁16とし、その垂直壁上部を図４のように切欠き17し、又該切欠き部分上部の左右両側の円筒状弯曲壁部分も共に切欠きしている。更に、上記仕切壁14よりも上方の垂直壁部分は図１が示すように薄肉の弾性板18とし、該弾性板上端に押釦19を付設し、該押釦の上端前面へ突条20を横設している。
【０００８】
上記キャップ本体11の上部内へは蓋付き部材31を嵌着させている。該部材は、頂板32前部に振出し筒13上端部を嵌合させた透孔を有し、その頂板外周をキャップ本体のキャップ周壁12の上端面上へ載置させて該頂板外周の後部を除く、頂板外周内方部分から嵌合短筒33を垂下させてキャップ本体のキャップ周壁の上部内面へ嵌合させている。又頂板上面の前後方向中間部には図２が示すようにその前端から後方まで帯状の凹部34を設け、図１のように該凹部の後部を上面開口35した有底筒部36としてその底壁37を仕切壁の後部上へ載置し、その有底筒部の後壁38の上端から水平ヒンジ39を介して上記開口35上面を覆い、かつ凹部34内へ嵌合させた蓋体40を図１のように前方へ突出させている。 
【０００９】
後壁38はその左右両側を切離して前方押込みで有底筒部36内へ押込みされ、又その押込みを離すと弾性復帰可能な弾性押圧板38ａとしている。既述切欠き17に対応する後壁部分、即ち弾性押圧部分は切欠き内へ嵌合させ、又水平ヒンジ39左右外方の蓋体部分は屈折部を介して斜前方への傾斜板41とし、該傾斜板の水平ヒンジ外方部分は前方を拡開する三角形状ないし台形状の薄肉板状ヒンジ42とし、上記後壁38上部を前方押込みすると水平ヒンジ39および薄肉板状ヒンジ42を中心として回動することで蓋体40が開蓋可能としている。 
【００１０】
該蓋体の前部下面へは既述振出し孔へ嵌合させる栓43を付設している。
【００１１】
尚、薄肉板状ヒンジ42は上記後壁上部前方押込みによって外方側、つまり三角形の底辺ないし台形状の中広底面部分が弾性に抗して伸長し、開蓋途中の死点を過ぎると弾性復元して、図２が示すように弾性復元する。該薄肉板状ヒンジの構造は公知であり、よって詳細な説明は省略する。
【００１２】
既述押釦19上部前面の突条20の前面は、図１が示すように弾性押圧板38ａの上端縁後面へ当接させる。
【００１３】
上記ワンタッチキャップは次のように使用することが出来る。図１が示す閉蓋状態から押釦19を前方へ押込みすると押釦上端前面へ横設した突条20が弾性押圧板38ａの上端後面を押圧することで、該弾性押圧板上部は弾性に抗して前方へ押されることとなり、よって水平ヒンジ39および薄肉板状ヒンジ42を中心として蓋体40は開蓋し、よって振出し孔15が開孔する。閉蓋は、上後方へ起立した蓋体前部を前下方へ押込み、凹部34内へ嵌合させればよい。尚蓋体40は開閉蓋の際、薄肉板状ヒンジの作用で弾性反転する。
【００１４】
キャップ本体11および蓋付き部材31はそれぞれ合成樹脂材で成形している。
【図面の簡単な説明】
【００１５】
【図１】本発明キャップを閉蓋状態で示す縦断面図である。
【図２】図１キャップを開蓋状態で示す平面図である。
【図３】図１キャップの後面図である。
【図４】図１キャップのキャップ本体を示す斜視図である。
【符号の説明】
【００１６】
11 キャップ本体 13 振出し筒
14 仕切壁 16 垂直壁
17 切欠き 19 押釦
31 蓋付き部材 32 頂板
36 有底筒部 38 後壁
38ａ弾性押圧板 39 水平ヒンジ
40 蓋体 41 傾斜板
42 薄肉板状ヒンジ
【図１】
0004756535.tif 000002
【図２】
0004756535.tif 000003
【図３】
0004756535.tif 000004
【図４】
0004756535.tif 000005